(57)【要約】  【課題】  予約した記録開始時間から、定期的に映像／音声データの削除及び記録を行う記録再生装置において、必要な映像／音声データが削除されることを防ぐことを可能にする。  【解決手段】  記録媒体５に映像／音声データの記録を行う場合、映像／音声データが未再生の状態にあることを示す未再生状態データを映像／音声データと共に記録し、記録された映像／音声データが所定時間以上再生された場合、未再生状態データを、再生済状態データに変更するように構成する。更に、定期的な映像／音声データの予約記録を行う際、再生済状態データが記録されている映像／音声データを削除し、未再生状態データが記録されている映像／音声データは削除せずに、新たな映像／音声データを別のデータとして記録するように構成する。【選択図】      図９
2005203002.tif 000002
【特許請求の範囲】
【請求項１】
データの記録及び再生を行う記録再生部と、定期的な映像／音声データの予約記録を行う予約記録手段とを備える記録再生装置において、
過去に記録された映像／音声データが不要であるか否かを、予約記録の開始時刻前に判定する判定手段を備え、
前記記録再生部は、前記判定手段が不要であると判定した映像／音声データを削除、又は上書きすることを特徴とする記録再生装置。
【請求項２】
前記記録再生部が映像／音声データの記録を行う場合、該映像／音声データが未再生の状態にあることを示す未再生状態データを記録する手段と、
前記未再生状態データを、前記映像／音声データが再生済の状態にあることを示す再生済状態データに変更する再生済変更手段と、
前記再生済状態データを検知する検知手段とを備え、
前記判定手段は、
前記検知手段が前記再生済状態データを検知した場合、前記映像／音声データは不要であると判定する請求項１に記載の記録再生装置。
【請求項３】
所定時間以上、記録再生部が前記映像／音声データの再生を行った場合、前記再生済変更手段は、再生された前記映像／音声データに係る前記未再生状態データを前記再生済状態データに変更する請求項２に記載の記録再生装置。
【請求項４】
前記所定時間は、前記映像／音声データの略半分以上の記録内容に対応する時間である請求項３に記載の記録再生装置。
【請求項５】
前記再生済状態データを未再生状態データに変更する未再生変更手段と、
前記未再生状態データ及び前記再生済状態データの変更を受付ける受付手段とを更に備え、
該受付手段が未再生状態データから再生済状態データへの変更を受付けた場合、前記再生済変更手段は、未再生状態データを再生済状態データに変更し、
前記受付手段が再生済状態データから未再生状態データへの変更を受付けた場合、前記未再生変更手段は、再生済状態データを未再生状態データに変更することを特徴とする請求項２乃至請求項４のいずれか一つに記載の記録再生装置。
【請求項６】
前記記録再生部が映像／音声データの記録を行う場合、前記映像／音声データが保護を要する状態にあるか否かを示す保護状態データを記録する手段と、
保護を要する状態にあることを示す保護状態データを検知する保護検知手段とを更に備え、
前記判定手段は、
保護を要する状態にあることを示す保護状態データを前記保護検知手段が検知した場合、前記映像／音声データは必要であると判定する請求項１に記載の記録再生装置。
【請求項７】
記録された映像／音声データの保護を受付ける保護受付手段と、
該保護受付手段が保護を受付けた場合、前記映像／音声データが保護を要する状態にあることを示す保護状態データを記録する保護手段と
を更に備える請求項６に記載の記録再生装置。
【発明の詳細な説明】
【技術分野】
【０００１】
本発明は、映像／音声データの記録を行う記録再生装置に関し、特に予め受付けた記録開始時刻から映像／音声データの記録を開始する予約機能と、前回記録した映像／音声データを削除し、新たに記録開始時刻から映像／音声データの記録を定期的に、例えば毎日又は毎週行う定期記録機能とを備える記録再生装置に関する。
【背景技術】
【０００２】
映像／音声データの記録を行う記録再生装置、例えばデジタル録画装置は、予め映像／音声データの記録を開始する記録開始時刻を受付け、受付けた記録開始時刻から受信する映像／音声データの記録を行う予約機能、予約機能によって過去に記録された映像／音声データを削除し、再び記録開始時刻から新たな映像／音声データの記録を、毎日又は毎週行う定期記録機能とを備えている（例えば、特許文献１）。
【０００３】
このような機能を備える記録再生装置は、アンテナ又はケーブル等によって受信した映像／音声データが入力される入力部と、光ディスク又はハードディスク等の記録媒体に対してデータの記録及び再生を行う記録再生部と、入力部及び記録再生部に接続され、記録再生部の動作を制御する制御部と、使用者の操作を受付ける受付部とを備えている。
【０００４】
制御部は、プログラムを記憶しているＲＯＭ、ＲＯＭが記憶しているプログラムを実行するＣＰＵ、時刻を管理する時計部等を備えている。また制御部は、受付部で受付けた記録開始時刻から、入力部に入力される映像／音声データの記録を開始させる予約手段と、毎日又は毎週等定期的に、前回記録された映像／音声データを削除し、記録開始時刻から新たに受信する映像／音声データの記録を開始する予約記録手段とを備えている。
【０００５】
このように構成される記録再生装置において、受付部が映像／音声データの記録を開始すべき記録開始時刻を予め受付けた場合、記録再生部は、記録開始時刻から映像／音声データの記録を自動的に開始する。また、定期記録機能が設定されている場合、記録再生部は、前回記録された映像／音声データを削除し、新たに記録開始時刻から映像／音声データの記録を自動的に開始する。
【０００６】
従って、毎日又は毎週定期的に、記録開始時刻から映像／音声データの削除及び記録が行われ、常に最新の映像／音声データを記録媒体に記録しておくことができる。
【特許文献１】特開２０００−２２８０８１号公報
【発明の開示】
【発明が解決しようとする課題】
【０００７】
しかしながら、従来の記録再生装置においては、定期記録機能により映像／音声データの記録を行った場合、前回記録された映像／音声データを使用者が再生していない場合であっても、翌日又は翌週の記録開始時刻になると、前回記録された映像／音声データが削除されるという問題があった。つまり、必要な映像／音声データが、使用者の意図に反して削除されるという問題があった。
【０００８】
本発明は、斯かる事情に鑑みてなされたものであり、定期的に映像／音声データの削除及び記録を行う場合において、必要な映像／音声データと不要な映像／音声データとを判別し、不要な映像／音声データについてのみ映像／音声データの削除を行うことにより、必要な映像／音声データを削除せず、新たな映像／音声データを別のデータとして記録することができる記録再生装置を提供することを目的とする。
【０００９】
また、定期的に映像／音声データの削除及び記録を行う場合において、以前に記録された映像／音声データのうち、未再生の状態にある映像／音声データが削除されることのない記録再生装置を提供することを他の目的とする。
【００１０】
更に、所定時間以上再生された映像／音声データを再生済の状態とし、所定時間以上再生されていない映像／音声データを未再生の状態にあると判定することにより、短時間再生され、実質的に再生されていない映像／音声データが、定期的な予約記録によって削除されることのない記録再生装置を提供することを他の目的とする。
【００１１】
更にまた、記録された映像／音声データの再生時間が、全再生時間の半分に満たない場合、該映像／音声データは未再生の状態にあるとし、該映像／音声データが、定期的な予約記録によって削除されることのない記録再生装置を提供することを他の目的とする。
【００１２】
更にまた、映像／音声データの再生状態の変更を受付け、任意に、映像／音声データを再生済、又は未再生の状態に変更することができる記録再生装置を提供することを他の目的とする。
【００１３】
更に、定期的に映像／音声データの削除及び記録を行う場合において、以前に記録された映像／音声データのうち、保護を要する状態にある映像／音声データが削除されることのない記録再生装置を提供することを他の目的とする。
【００１４】
更にまた、映像／音声データの保護を受付け、保護を受付けた場合、映像／音声データが、再生の状態によらず、定期的な予約記録によって削除されないように設定することができる記録再生装置を提供することを他の目的とする。
【課題を解決するための手段】
【００１５】
本発明に係る記録再生装置は、データの記録及び再生を行う記録再生部と、定期的な映像／音声データの予約記録を行う予約記録手段とを備える記録再生装置において、過去に記録された映像／音声データが不要であるか否かを、予約記録の開始時刻前に判定する判定手段を備え、前記記録再生部は、前記判定手段が不要であると判定した映像／音声データを削除、又は上書きすることを特徴とする。
【００１６】
本発明にあっては、予約記録手段により、映像／音声データの予約記録が定期的に行われるが、過去に記録した映像／音声データが不要であるか否かを、予約記録の開始時刻前に判定手段が判定する。判定手段が不要であると判定した場合、不要であると判定された映像／音声データは削除され、又は新たな映像／音声データによって上書きされる。判定手段が必要であると判定した場合、映像／音声データは削除されず、又は上書きされることなく、新たに映像／音声データが別のデータとして記録される。従って、予約記録手段により、必要な映像／音声データが削除され、又は上書きされることはない。
【００１７】
また、不要な映像／音声データの削除は、記録開始時刻前に行われる。従って、新たな映像／音声データの予約記録を行うために必要な記録媒体の空き領域を予め確保することができる。
【００１８】
本発明に係る記録再生装置は、前記記録再生部が映像／音声データの記録を行う場合、該映像／音声データが未再生の状態にあることを示す未再生状態データを記録する手段と、前記未再生状態データを、前記映像／音声データが再生済の状態にあることを示す再生済状態データに変更する再生済変更手段と、前記再生済状態データを検知する検知手段とを備え、前記判定手段は、前記検知手段が前記再生済状態データを検知した場合、前記映像／音声データは不要であると判定することを特徴とする。
【００１９】
本発明にあっては、記録再生部が映像／音声データの記録を行う場合、該映像／音声データが未再生の状態にあることを示す未再生状態データを、前記映像／音声データと共に記録する。判定手段は、検知手段が再生済状態データを検知した場合、検知された再生済状態データに係る映像／音声データは不要であると判定する。不要であると判定された映像／音声データは削除され、又は新たな映像／音声データによって上書きされる。そうすると、記録された直後、又は記録直後の状態のまま維持されている映像／音声データは、不要なデータであると判定されない。従って、記録直後の状態が維持されている映像／音声データは、削除されず、又は上書きされることもなく、新たな映像／音声データが別のデータとして記録される。
【００２０】
再生済変更手段は、未再生状態データを再生済状態データに変更することができる。変更された再生済状態データに係る映像／音声データは、判定手段によって不要であると判定される。従って、再生済変更手段により変更された再生済状態データに係る映像／音声データは削除され、新たな映像／音声データが記録される。或は、未再生状態データに係る映像／音声データは、新たな映像／音声データによって上書きされる。
【００２１】
本発明に係る記録再生装置は、所定時間以上、記録再生部が前記映像／音声データの再生を行った場合、前記再生済変更手段は、再生された前記映像／音声データに係る前記未再生状態データを前記再生済状態データに変更することを特徴とする。
【００２２】
本発明にあっては、所定時間以上、映像／音声データが再生された場合、再生状済態変更手段が、再生された映像／音声データに係る未再生状態データを再生済状態データに変更する。そうすると、再生時間が所定時間に満たない映像／音声データは、削除されず、又は新たな映像／音声データによって上書きされることもなく、新たに映像／音声データが別のデータとして記録される。従って、記録された映像／音声データが再生された場合であっても、その再生時間が極めて短時間であり、実質的に再生されていないような映像／音声データは、削除され、又は上書きされることはない。
【００２３】
本発明に係る記録再生装置において、前記所定時間は、前記映像／音声データの略半分以上の記録内容に対応する時間であることを特徴とする。
【００２４】
本発明にあっては、記録された映像／音声データの略半分以上の記録内容に対応する時間、映像／音声データが再生された場合、再生済変更手段が、未再生状態データを再生済状態データに変更する。従って、再生時間が前記時間に満たない映像／音声データは、削除されず、又は新たな映像／音声データによって上書きされることもなく、新たな映像／音声データが別のデータとして記録される。
【００２５】
本発明に係る記録再生装置は、前記再生済状態データを未再生状態データに変更する未再生変更手段と、前記未再生状態データ及び前記再生済状態データの変更を受付ける受付手段とを更に備え、該受付手段が未再生状態データから再生済状態データへの変更を受付けた場合、前記再生済変更手段は、未再生状態データを再生済状態データに変更し、前記受付手段が再生済状態データから未再生状態データへの変更を受付けた場合、前記未再生変更手段は、再生済状態データを未再生状態データに変更することを特徴とする。
【００２６】
本発明にあっては、受付手段が、未再生状態データ又は再生済状態データの変更を受付け、受付手段の受付に応じて、未再生状態データ及び再生済状態データを相互に変更することができる。従って、再生済の状態にある映像／音声データを再び未再生の状態に、又は未再生の状態にある映像／音声データを再生済の状態に変更することができる。
【００２７】
本発明に係る記録再生装置は、前記記録再生部が映像／音声データの記録を行う場合、前記映像／音声データが保護を要する状態にあるか否かを示す保護状態データを記録する手段と、保護を要する状態にあることを示す保護状態データを検知する保護検知手段とを更に備え、前記判定手段は、保護を要する状態にあることを示す保護状態データを前記保護検知手段が検知した場合、前記映像／音声データは必要であると判定することを特徴とする。
【００２８】
本発明にあっては、記録再生部が映像／音声データの記録を行う場合、該映像／音声データが保護を要する状態にあるか否かを示す保護状態データを、映像／音声データと共に記録する。判定手段は、保護を要することを示す保護状態データを保護検知手段が検知した場合、検知された映像／音声データを必要なデータであると判定する。そうすると、保護状態データが保護を要することを示している限り、前記保護状態データに係る映像／音声データは不要であると判定されることがない。従って、保護を要することを示す保護状態データに係る映像／音声データについては、再生の有無に関わらず、削除され、又は新たな映像／音声データによって上書きされることはなく、新たな映像／音声データが別のデータとして記録される。
【００２９】
本発明に係る記録再生装置は、記録された映像／音声データの保護を受付ける保護受付手段と、該保護受付手段が保護を受付けた場合、前記映像／音声データが保護を要する状態にあることを示す保護状態データを記録する保護手段とを更に備えることを特徴とする。
【００３０】
本発明にあっては、保護受付手段が映像／音声データの保護を受付け、保護を受付けた場合、保護手段は、前記映像／音声データが保護を要する状態にあることを示す保護状態データを記録する。従って、再生の有無に関わらず、必要な映像／音声データが、削除され、又は上書きされないように映像／音声データを保護することができる。
【発明の効果】
【００３１】
本発明にあっては、必要な映像／音声データを残して、不要な映像／音声データのみを削除し、又は上書きして新たな映像／音声データの予約記録を定期的に行うことができる。
【００３２】
本発明にあっては、記録された直後の状態が維持されている未再生の映像／音声データを残して、再生済の状態にある映像／音声データを削除、又は上書きして新たな映像／音声データの予約記録を定期的に行うことができる。
【００３３】
本発明にあっては、再生された時間が所定時間に満たない映像／音声データを残して、再生時間が所定時間を超えている映像／音声データを削除し、又は上書きして新たな映像／音声データの予約記録を定期的に行うことができる。
【００３４】
本発明にあっては、再生された時間が、映像／音声データの略半分の記録内容に対応する時間の半分に満たない映像／音声データを残して、前記時間の半分以上の時間、再生された映像／音声データを削除し、又は上書きして新たな映像／音声データの予約記録を定期的に行うことができる。
【００３５】
本発明にあっては、未再生の状態と再生済の状態とを相互に変更することができる。
【００３６】
本発明にあっては、再生の有無に関わらず、保護を要する映像／音声データを残し、再生済であり、保護を要しない映像／音声データを削除し、又は上書きして新たな映像／音声データの予約記録を定期的にに行うことができる。
【００３７】
本発明にあっては、映像／音声データの保護を行うことができ、再生の有無に関わらず、保護された映像／音声データを残して、新たな映像／音声データの予約記録を定期的に行うことができる。
【発明を実施するための最良の形態】
【００３８】
以下に、本発明をその実施の形態を示す図面に基づいて詳述する。
図１は、２点鎖線で示した本発明に係る記録再生装置と、映像／音声データを受信する映像／音声受信部８と、映像／音声データを再現するモニタ部７とを模式的に示すブロック図である。
【００３９】
記録再生装置は、映像／音声データが入力される入力部１と、データが記録されるハードディスク、ＤＶＤ−ＲＷ等の記録媒体５と、記録媒体５にデータの記録及び再生を行う記録再生部２と、記録再生部２の記録動作を制御する制御部３と、使用者による記録再生装置の操作を受付ける受付部４と、記録再生部２が再生した映像／音声データを出力する出力部６とを備えている。記録再生部２は、記録媒体５がハードディスクである場合、磁気ヘッドを有するアーム、スピンドルモータ、ハードディスク制御回路等を備え、記録媒体５がＤＶＤ−ＲＷである場合、光ピックアップ、スピンドルモータ等を備えている。受付部４は、操作ボタンを備えるパネル、又は赤外線による記録再生装置の操作を受付ける受光部等により構成されている。入力部１、及び出力部６は、電気信号が入出力される端子を備えている。
【００４０】
映像／音声受信部８は、入力部１に接続されており、例えば、映像／音声データを有する電波を受信するアンテナ８ａと、アンテナ８ａが受信した信号から所定のチャンネルの信号を選択して受信する同調装置とを備えている。また、モニタ部７は、出力部６に接続しており、制御部３が出力部６を通じてモニタ部７に出力する映像／音声データを映像化／音声化する。
【００４１】
図２は、制御部３の内部構成を模式的に示すブロック図である。制御部３は、入力部１に接続している映像／音声データ処理部３１と、映像／音声データ処理部３１に接続しており、記録再生部２の記録及び再生動作を直接制御する記録再生コントローラ３２と、記録再生コントローラ３２に接続し、映像／音声データを出力部６に送る再生データ処理部３３と、揮発性の半導体メモリである記憶部３４と、時刻を管理する時計部３５とを備えている。また、制御部３は、映像／音声データ処理部３１、記録再生コントローラ３２、再生データ処理部３３、記憶部３４、及び時計部３５夫々を制御するシステムコントローラ３０とを備えている。
【００４２】
映像／音声データ処理部３１は、入力部１に入力されるアナログ信号の映像／音声データをデジタル信号に変換するＡ／Ｄコンバータ、デジタル信号に変換された映像／音声データの圧縮、変調等を行う画像処理回路等を備えている。映像／音声データについては、例えばＭＰＥＧ２の圧縮方式により圧縮される。
【００４３】
記録再生コントローラ３２は、映像／音声データ処理部３１において処理された映像／音声データを取得し、取得した映像／音声データを記録再生部２に送り、記録再生部２の記録動作を直接的に制御するコントローラである。また、記録再生コントローラ３２は、記録再生部２の再生動作を制御し、読出した映像／音声データを再生データ処理部３３に送る制御を行う。
【００４４】
再生データ処理部３３は、圧縮及び変調された映像／音声データの復調、伸張等の画像処理回路等を備えている。また、伸張されたデジタルデータの映像／音声データをアナログ信号に変換するＤ／Ａコンバータ等を備えている。
【００４５】
システムコントローラ３０は、プログラムを記憶しているＲＯＭ（不図示）、ＲＯＭが記憶しているプログラムを実行するＣＰＵ等と接続しており、ＣＰＵの制御を受け、記録再生装置全体を制御している。ＲＯＭが記憶しているプログラムをＣＰＵが実行することにより、記録再生装置が備える各種機能が実現される。
【００４６】
時計部３５は、２４時間を計時し、月、日付、曜日の管理等を行う機能と、所定の日時を設定した場合、該所定の日時に信号を発信するタイマー機能等を備えている。
【００４７】
図３は、記録再生装置が行う予約記録の処理手順を示すフローチャートである。記録再生装置が動作を開始した場合、システムコントローラ３０等は、映像／音声データの記録開始時刻等の予約受付けを開始する（ステップＳ１）。具体的には、映像／音声データの記録を開始する時刻である記録開始時刻、映像／音声データの記録を終了する時刻である記録終了時刻、記録を行う月、曜日、チャンネル、番組名等の予約情報を、システムコントローラ３０が受付部４を通じて受付け、受付けた予約情報を記憶部３４に書き込み、記録を開始すべき月、日及び記録開始時刻を時計部３５に設定する。また、システムコントローラ３０等は、ステップＳ１において記録された映像／音声データの保護の設定を受付ける。保護の設定を受付けた場合の動作については後述する。
【００４８】
また、システムコントローラ３０等は、予約記録における定期記録設定の受付けを開始する（ステップＳ２）。つまり、ステップＳ１において予約した記録開始時刻から記録終了時刻までの間に行う映像／音声データの記録を、毎日又は毎週定期的に行う機能を利用するか否かを受付ける。システムコントローラ３０は、受付部４を通じて定期記録の設定を受付けた場合、定期記録の設定がされた状態にあることを記憶部３４に書き込む。
【００４９】
次いで、システムコントローラ３０等は、予約記録の設定がされている場合において記録開始時刻の直前にあるか否かを判定する（ステップＳ３）。具体的には、ステップＳ１で時刻設定された時計部３５が、予約又は定期記録の設定がされた記録開始時刻の直前に信号をシステムコントローラ３０に発信する。システムコントローラ３０等は、前記信号を受けた場合、記録開始時刻の直前にあると判定する（ステップＳ３：ＹＥＳ）。システムコントローラ３０等が、前記信号を受けていない場合、記録開始時刻の直前ではないと判定し（ステップＳ３：ＮＯ）、ステップＳ１の処理を再び行う。
【００５０】
記録開始時刻の直前であると判定した場合（ステップＳ３：ＹＥＳ）、システムコントローラ３０等は、定期記録設定の有無を判定する（ステップＳ４）。具体的には、記憶部３４が記憶している定期記録設定に関する情報を読出し、定期記録設定の有無を判定する。
【００５１】
定期記録の設定がされていない場合（ステップＳ４：ＮＯ）、システムコントローラ３０等は、現在、記録開始時刻にあるか否かを判定する（ステップＳ６）。具体的には、記録開始時刻にある場合、時計部３５が信号をシステムコントローラ３０に発信する。システムコントローラ３０等は、前記信号を受けた場合、記録開始時刻にあると判定する。記録開始時刻直前にない場合（ステップＳ６：ＮＯ）、記録開始時刻になるまで、待機する。
【００５２】
システムコントローラ３０等が、記録開始時刻にあると判定した場合（ステップＳ６：ＹＥＳ）、映像／音声データの記録を開始する（ステップＳ７）。
【００５３】
図４は、映像／音声データの記録に係るサブルーチンを示すフローチャートである。システムコントローラ３０等は、映像／音声データと対をなすヘッダの記録を行うように記録再生部２を制御する（ステップＳ７１）。より具体的には、システムコントローラ３０が、ヘッダの情報及び制御データを記録再生コントローラ３２に送り、指示を受けた記録再生コントローラ３２は、記録再生部２の記録動作を制御する。記録再生コントローラ３２に制御された記録再生部２は、記録媒体５にヘッダの記録を行う。
【００５４】
図５は、記録再生部２が記録媒体５に記録を行うデータの内容を模式的に示した概念図である。ヘッダ１が、映像／音声データ１と対をなして記録されており、ヘッダ２は、映像／音声データ１と異なる映像／音声データ２と対をなして記録されている状態を示している。ステップＳ７１において記録されるヘッダの内容を説明する。ヘッダの詳細な内容を下図に示す。記録再生部２は、ヘッダ開始コードを初めに記録し、続いて記録を行う映像／音声データが未再生の状態にあることを示す未再生状態データ、前記映像／音声データが保護を要しない状態にあることを示す保護状態データ、映像／音声データの記録を行う記録月、日、曜日、記録開始時刻、番組名、放送チャンネル等を記録し、最後にヘッダ終了コードを記録する。記録月、日、曜日、記録開始時刻、番組名、放送チャンネル等は、予約受付の際、記憶部３４に書き込まれた情報である。
【００５５】
なお、未再生状態データ及び保護状態データ夫々は、１ビット以上のデータである。例えば、未再生状態データを０、映像／音声データが再生済の状態であることを示す再生済状態データを１とした１ビットのデータ、つまりフラグを定義すれば良い。また保護を要しないことを示す保護状態データを０、保護を要することを示す保護状態データを１とした１ビットのデータ、つまりフラグを定義すれば良い。
【００５６】
ヘッダの記録を終えた場合、システムコントローラ３０等は、入力部１に入力される映像／音声データの記録を記録再生部２が行うように制御する（ステップＳ７２）。具体的には、システムコントローラ３０は、映像／音声データ処理部３１を制御し、入力部１に入力される映像／音声データのＡ／Ｄ変換、圧縮、及び変調等の処理を行う。また、記録再生コントローラ３２の動作を制御する。制御された記録再生コントローラ３２は、映像／音声データ処理部３１で処理された映像／音声データを取得し、該映像／音声データの記録を記録再生部２が行うように記録再生部２を制御する。
【００５７】
次いで、システムコントローラ３０等は、記録終了時刻にあるか否かを判定する（ステップＳ７３）。具体的には、記録終了時刻にある場合、時計部３５が信号をシステムコントローラ３０に発信する。該信号をシステムコントローラ３０が受けた場合、記録終了時刻にあると判定する。前記信号を受けておらず、記録終了時刻にないと判定した場合（ステップＳ７３：ＮＯ）、続けてステップＳ７２の処理を行う。
【００５８】
記録終了時刻にあると判定した場合（ステップＳ７３：ＹＥＳ）、システムコントローラ３０等は、映像／音声データの記録を終了するように制御し、ヘッダの情報を追記する（ステップＳ７４）。つまり、システムコントローラ３０は、図５に示した記録終了時刻をヘッダに追記するように記録再生部２を制御する。サブルーチンの処理を終えた場合、再びステップＳ１の処理を行い、予約の受付けを開始する。
【００５９】
次に、ステップＳ４において、定期記録の設定がされていると、システムコントローラ３０等が判定した場合（ステップＳ４：ＹＥＳ）の処理を説明する。定期記録設定がされていると判定した場合、システムコントローラ３０等は、映像／音声データの状態判定及び削除の処理を行う（ステップＳ５）。
【００６０】
図６は、ステップＳ５のサブルーチン、つまり映像／音声データの状態判定、及び削除に係るサブルーチンを示すフローチャートである。定期記録の設定がされていると判定した場合（ステップＳ４：ＹＥＳ）、システムコントローラ３０等は、記録媒体５からヘッダを読出すように記録再生部２を制御する（ステップＳ５１）。
【００６１】
ヘッダを読出し終えた場合、以前に記録された映像／音声データの有無を判定する（ステップＳ５２）。この判定は、ステップＳ５１で読出したヘッダ情報に基づいて行う。前記映像／音声データが無いと判定した場合（ステップＳ５２：ＮＯ）、サブルーチンを終了し、次いでステップＳ６の処理を実行する。
【００６２】
以前に記録された映像／音声データが有ると判定した場合（ステップＳ５２：ＹＥＳ）、前記映像／音声データが再生済の状態にあるか否かを、ヘッダの情報から判定する（ステップＳ５３）。ヘッダには、映像／音声データが未再生状態、又は再生済状態にあることを示す再生状態データが含まれており、システムコントローラ３０が、再生済状態データを検知した場合、映像／音声データは再生済の状態にあると判定する。未再生状態データを検知した場合、映像／音声データは未再生の状態にあると判定する。未再生の状態にあると判定した場合（ステップＳ５３：ＮＯ）、以下に説明するステップＳ５６の処理を実行する。
【００６３】
再生済の状態にあると判定した場合（ステップＳ５３：ＹＥＳ）、ヘッダ情報に含まれる保護状態データの内容が、保護を要する状態を示しているか否かを判定する（ステップＳ５４）。保護を要する状態にあることを示している場合（ステップＳ５４：ＹＥＳ）、ステップＳ５６の処理を実行する。
【００６４】
保護を要する状態にないことを示している場合（ステップＳ５４：ＮＯ）、システムコントローラ３０は、判定を行ったヘッダに対応する映像／音声データの削除を記録再生部２が行うように制御する（ステップＳ５５）。
【００６５】
映像／音声データの削除を終えた場合、ステップＳ５１で読出した全てのヘッダ情報について判定を行ったか否かを判定する（ステップＳ５６）。全てのヘッダ情報を判定していない場合（ステップＳ５６：ＮＯ）、再びステップＳ５３の処理に戻り、残りのヘッダついてステップＳ５３、ステップＳ５４の判定を行う。全てのヘッダを判定したと判定した場合（ステップＳ５６：ＹＥＳ）、サブルーチンの処理を終え、ステップＳ６の処理を実行する。
【００６６】
映像／音声データの再生について説明する。図７は、記録再生装置が行う再生の処理手順を示すフローチャートである。受付部４が再生の操作を受付けた場合、再生開始時刻から所定時間、例えば５分を経過する時刻を判定するために、計時の開始処理を行う（ステップＳ１０１）。具体的には、所定時間後に時計部３５が信号を発信するように時計部３５に所定時間をセットする。或は、システムコントローラ３０が内部に備えるカウンタによる計時を開始させ、所定時間を経過した場合に信号を発信するようカウンタをセットすれば良い。
【００６７】
計時を開始した場合、記録媒体５に記録されている映像／音声データの再生を行うように記録再生部２の制御を、システムコントローラ３０が行う（ステップＳ１０２）。記録媒体５から読出した映像／音声データは、記録再生コントローラ３２の制御により再生データ処理部３３に送られる。再生データ処理部３３は、映像／音声データの復調、及び伸張を行い、デジタル信号である映像／音声データをアナログ信号に変換し、アナログ信号に変換した映像／音声データを出力部６に送る。出力部６からモニタ部７に出力された映像／音声データは、モニタ部７で再現される。
【００６８】
次いで、システムコントローラ３０等は、再生を開始した時刻から所定時間、例えば５分が経過したか否かを判定する（ステップＳ１０３）。具体的には、所定時間を経過した場合に時計部３５が発信する信号を受付けた場合、所定時間が経過したと判定する。所定時間が経過していないと判定した場合（ステップＳ１０３：ＮＯ）、後述するステップＳ１０５の処理を行う。
【００６９】
所定時間が経過したと判定した場合（ステップＳ１０３：ＹＥＳ）、再生している映像／音声データのヘッダに含まれている未再生状態データを再生済状態データに変更する（ステップＳ１０４）。つまり再生状態データのビットを０から１に変更する。
【００７０】
次いで、再生の終了の指示を受付けたか否かを判定する（ステップＳ１０５）。具体的には、再生を終了する操作を受付部４が受付けた場合、受付部４が操作を受付けたことを知らせる信号を発信し、システムコントローラ３０が前記信号を受けた場合（ステップＳ１０５：ＹＥＳ）、再生の処理を終了する。再生終了の指示を受付けていない場合（ステップＳ１０５：ＮＯ）、再びステップＳ１０２の処理に戻り、映像／音声データの再生を行う。
【００７１】
記録された映像／音声データの保護設定について説明する。システムコントローラ３０は、図３に示すステップＳ１において保護の設定を合わせて受付けている。受付部４を通じて保護の設定を受付けた場合、システムコントローラ３０は、保護設定する映像／音声データのヘッダに記録されている保護状態データの内容を、保護を要する状態にあることを示す内容に変更する。つまり保護状態データの内容を０から１に変更する。
【００７２】
また、受付部４を通じて保護設定の解除を受付けた場合、システムコントローラ３０は、保護設定の解除を行う映像／音声データのヘッダに記録されている保護状態データの内容を、保護を要しない状態にあることを示す内容に変更する。つまり保護状態データの内容を１から０に変更する。
【００７３】
このように構成される記録再生装置を用いて、予約記録の設定を行った場合の効果を、より具体的な動作と合わせて説明する。
【００７４】
図８は、制御部３が備える記憶部３４と記録媒体５の状態を模式的に示す概念図である。図８（ａ）は、予約及び定期記録設定の状態を記憶している記憶部３４と、記録媒体５とを示している。記録媒体５は、映像／音声データを記録していない状態にある。記憶部３４は、記録開始時刻を１９時、記録終了時刻を２０時とする予約情報と、毎週水曜日に記録を行う定期記録の設定を記憶している。
【００７５】
図８（ａ）に示した場合、定期記録の設定をした後、最初の記録開始時刻、例えば１０月２９日の水曜日の１９時から、映像／音声データの記録が行われ、図８（ｂ）に示すように映像／音声データ（不図示）のヘッダ情報が記録される。ヘッダには、映像／音声データが未再生の状態にあることを示す未再生状態データ、映像／音声データが保護を要しない状態にあることを示す保護状態データ、記録開始及び終了時刻、記録日時等が記録されている。
【００７６】
１０月２９日に記録された映像／音声データの再生を所定時間以上行った場合、図８（ｃ）に示すように、未再生状態データが再生済状態データに変更される。
【００７７】
図８（ｄ）は、１１月５日の水曜日、１９時から、新たに映像／音声データが記録された場合の状態を示している。前回記録された映像／音声データは、再生済の状態にあり、保護を要しない状態にあるため、該映像／音声データは削除され、１１月５日に受信した新たな映像／音声データ（不図示）及びヘッダが記録される。
【００７８】
従って、前回記録され、既に再生された映像／音声データは、新たな映像／音声データの記録を開始する前に記録媒体５から削除されるため、映像／音声データの記録に必要な記録媒体５の空き容量を確保することができる。また、不要な映像／音声データが削除されるため、記録再生装置の使用者は、映像／音声データの整理を行う必要がない。
【００７９】
図９は、記憶部３４と記録媒体５の状態を模式的に示す概念図である。図９（ａ）は、１１月５日に記録された映像／音声データが、再生されていない場合、又は所定時間以上再生されていない場合の状態を示している。図９（ｂ）は、図９（ａ）に示した状態のまま、１１月１２日の記録開始時刻１９時となり、新たな映像／音声データが記録された状態を示している。１１月５日に記録された映像／音声データは未再生状態にあるため、前記映像／音声データの削除は行われず、新たに記録が行われる映像／音声データ（不図示）及びヘッダは別のデータとして記録される。
【００８０】
従って、定期記録の設定をしている場合であっても、前回記録された映像／音声データが未再生の状態にある場合、つまり再生がされていない場合、又は所定時間以上再生がされていない場合、映像／音声データが削除され、必要な映像／音声データが失われる恐れはなく、新たな映像／音声データを別のデータとして記録することができる。また、保護の設定をしていない状態であっても、未再生の状態にある映像／音声データを削除せず、新たな映像／音声データを別のデータとして記録することができる。
【００８１】
図１０は、記憶部３４と記録媒体５の状態を模式的に示す概念図である。図１０（ａ）は、１１月５日に記録された映像／音声データが所定時間以上再生され、１１月１２日に記録された映像／音声データが所定時間以上再生されていない状態を示している。また、１１月５日及び１２日に記録された映像／音声データ夫々について、保護の設定を行っている。図１０（ｂ）は、図１０（ａ）に示した状態のまま、１１月１９日の記録開始時刻１９時となり、新たな映像／音声データが記録された状態を示している。１１月５日及び１２日に記録された映像／音声データ夫々は、保護を要する状態にあるため、削除されず、新たな映像／音声データ（不図示）及びヘッダが別のデータとして記録される。
【００８２】
従って、映像／音声データが保護を要する状態にある場合、映像／音声データが未再生状態、再生済状態のいずれの状態であっても、定期的な予約記録によって保護を要する映像／音声データが削除される恐れはない。
【００８３】
なお、実施の形態においては、所定時間を５分としたが、これに限るものではなく、記録された映像／音声データの略半分の記録内容に対応する時間であっても良い。該時間は、映像／音声データのヘッダに記録されている記録時間を記録再生部が取得し、取得した記録時間から特定することができる。また、映像／音声データの約９割の記録内容に対応する時間であっても良い。この場合、より確実に必要な映像／音声データが削除されないように記録再生装置を構成することができる。
【００８４】
また、実施の形態においては、再生済の状態と未再生の状態の変更はシステムコントローラ等の制御により自動的に行われているが、これに限るものではない。つまり、受付部を通じてシステムコントローラが再生状態の変更を受付け、未再生状態データを再生済状態データに変更し、又は再生済状態データを未再生状態データに変更する手段を更に設けても良い。
【００８５】
従って、記録された映像／音声データを再生したが、もう一度再生するまでの間、映像／音声データを残したい場合、再生済状態データを未再生状態データに変更すると良い。この場合、もう一度再生されるまでは、映像／音声データが未再生の状態にあるため、定期記録により削除され、又は上書きされず、新たな映像／音声データが別のデータとして記録される。
【００８６】
また、再生されていないが、不要な映像／音声データがある場合、映像／音声データの未再生状態データを再生済状態データに変更すると良い。この場合、映像／音声データは定期記録により削除され、又は上書きされて新たな映像／音声データが記録される。
【００８７】
更に、再生済状態データ及び未再生状態データ、並びに保護状態データを１ビットのデータを用いて定義しているが、これに限るものではなく、各状態を２ビット以上のデータを用いて定義しても良い。２ビット以上のデータを用いて映像／音声データの状態を定義した場合、映像／音声データの状態をより確かに、つまり誤り無く示すことができる。
【００８８】
なお、映像／音声データは、映像データ及び音声データ、並びに映像データ又は音声データを意味している。
【図面の簡単な説明】
【００８９】
【図１】本発明に係る記録再生装置と、映像／音声受信部と、モニタ部とを模式的に示すブロック図である。
【図２】制御部の内部構成を模式的に示すブロック図である。
【図３】記録再生装置が行う予約記録の処理手順を示すフローチャートである。
【図４】映像／音声データの記録に係るサブルーチンを示すフローチャートである。
【図５】記録再生部が記録媒体に記録を行うデータの内容を模式的に示した概念図である。
【図６】映像／音声データの状態判定、及び削除に係るサブルーチンを示すフローチャートである。
【図７】記録再生装置が行う再生の処理手順を示すフローチャートである。
【図８】記憶部と記録媒体の状態を模式的に示す概念図である。
【図９】記憶部と記録媒体の状態を模式的に示す概念図である。
【図１０】記憶部と記録媒体の状態を模式的に示す概念図である。
【符号の説明】
【００９０】
１  入力部
２  記録再生部
３  制御部
４  受付部
３０  システムコントローラ
３１  映像／音声データ処理部
３２  記録再生コントローラ
３３  再生データ処理部
３４  記憶部
３５  時計部
【図１】
2005203002.tif 000003
【図２】
2005203002.tif 000004
【図３】
2005203002.tif 000005
【図４】
2005203002.tif 000006
【図５】
2005203002.tif 000007
【図６】
2005203002.tif 000008
【図７】
2005203002.tif 000009
【図８】
2005203002.tif 000010
【図９】
2005203002.tif 000011
【図１０】
2005203002.tif 000012